(57)【要約】【課題】取り扱いが容易で二次電池の長寿命化を図ることができる電子機器を提供する。【解決手段】バッテリーパック１４をカメラ本体１２に装着すると、装着検出スイッチ７２がオンになり、充電モードから給電モードに自動的に切り替わる。バッテリーパック１４をカメラ本体１２から取り外すと、装着検出スイッチ７２がオフになり、給電モードから充電モードに自動的に切り替わる。これにより、バッテリーパック１４のモード設定が不要になり、また、無駄な電力の消費が抑制される。【選択図】　図２
2004055499.tif 000002
【特許請求の範囲】
【請求項１】
充電可能な二次電池が電子機器本体に着脱自在に装着され、無接点で前記電子機器本体に給電する電子機器において、
前記二次電池は、
前記電子機器本体への着脱を検出する検出手段と、
前記検出手段で前記電子機器本体への装着が検出されると、前記二次電池のモードを給電モードに切り替える切替手段と、
を備えることを特徴とする電子機器。
【請求項２】
充電可能な二次電池が電子機器本体に着脱自在に装着され、無接点で前記電子機器本体に給電する電子機器において、
前記二次電池は、
前記電子機器本体の電源のオン・オフを検出する検出手段と、
前記検出手段で前記電子機器本体の電源オンが検出されると、前記二次電池のモードを給電モードに切り替える切替手段と、
を備えることを特徴とする電子機器。
【請求項３】
充電可能な二次電池が電子機器本体に着脱自在に装着され、無接点で前記電子機器本体に給電する電子機器において、
前記電子機器本体に設けられ、前記電子機器本体の動作状態を検出する検出手段と、
前記電子機器本体に設けられた送信部と前記二次電池に設けられた受信部とからなり、前記検出手段で検出された前記電子機器本体の動作状態の情報を前記送信部から前記受信部に無接点で送信する通信手段と、
前記二次電池に設けられ、前記受信部で受信された情報に基づいて前記電子機器本体への給電量を制御する制御手段と、
を備えたことを特徴とする電子機器。
【発明の詳細な説明】
【０００１】
【発明の属する技術分野】
本発明は電子機器に係り、特に防水カメラ等の無接点で給電可能な二次電池を備えた携帯電子機器に関する。
【０００２】
【従来の技術】
防水機能を備えたカメラとして、特開平７−１４６１５号公報では、充電可能な二次電池をカメラ本体に封入し、充電器により無接点方式の充電を行う技術が開示されている。
【０００３】
しかしながら、このように二次電池をカメラ本体に封入してしまうと、電池の容量がなくなるたびにカメラが使用できなくなるため、比較的電池の消費が大きいデジタルカメラには適さないといった問題がある。また、カメラ本体に封入されているため、二次電池の寿命が訪れた場合には、交換が面倒になるという問題もある。
【０００４】
そこで、特開２００１−２５１５４３号公報では、カメラ本体に対して二次電池を着脱自在に設け、無接点にて給電する方式のカメラが提案されている。
【０００５】
【発明が解決しようとする課題】
しかしながら、特開２００１−１５１５４３号公報のカメラでは、二次電池の給電モードと充電モードの切り替えをユーザが自ら切り替えスイッチで設定しなければならないため、取り扱いが面倒であるという欠点がある。
【０００６】
また、給電モードのままカメラ本体から取り外して放置すると、放電してしまい、無駄に電池が消費されてしまうという欠点がある。
【０００７】
さらに、従来のカメラでは、カメラの動作状態にかかわらず一定の電力供給方法で二次電池側から給電しているため、カメラ側の消費電力が少ない場合に無駄に電力を消費してしまい、電池寿命が短くなるという欠点があった。
【０００８】
本発明は、このような問題点に鑑みてなされたもので、取り扱いが容易で二次電池の長寿命化を図ることができる電子機器を提供することを目的とする。
【０００９】
【課題を解決するための手段】
請求項１に係る発明は、前記目的を達成するために、充電可能な二次電池が電子機器本体に着脱自在に装着され、無接点で前記電子機器本体に給電する電子機器において、前記二次電池は、前記電子機器本体への着脱を検出する検出手段と、前記検出手段で前記電子機器本体への装着が検出されると、前記二次電池のモードを給電モードに切り替える切替手段と、を備えることを特徴とする電子機器を提供する。
【００１０】
本発明によれば、二次電池を電子機器本体に装着すると二次電池のモードが給電モードに自動的に切り替わる。これにより、モード設定の煩わしさが解消され、また、無駄な電力の消費が抑制される。
【００１１】
また、請求項２に係る発明は、前記目的を達成するために、充電可能な二次電池が電子機器本体に着脱自在に装着され、無接点で前記電子機器本体に給電する電子機器において、前記二次電池は、前記電子機器本体の電源のオン・オフを検出する検出手段と、前記検出手段で前記電子機器本体の電源オンが検出されると、前記二次電池のモードを給電モードに切り替える切替手段と、を備えることを特徴とする電子機器を提供する。
【００１２】
本発明によれば、電子機器本体の電源をオンにすると二次電池のモードが充電モードから給電モードに自動的に切り替わり、オフにすると給電モードから充電モードに自動的に切り替わる。これにより、モード設定の煩わしさが解消され、また、無駄な電力の消費が抑制される。
【００１３】
請求項３に係る発明は、前記目的を達成するために、充電可能な二次電池が電子機器本体に着脱自在に装着され、無接点で前記電子機器本体に給電する電子機器において、前記電子機器本体に設けられ、前記電子機器本体の動作状態を検出する検出手段と、前記電子機器本体に設けられた送信部と前記二次電池に設けられた受信部とからなり、前記検出手段で検出された前記電子機器本体の動作状態の情報を前記送信部から前記受信部に無接点で送信する通信手段と、前記二次電池に設けられ、前記受信部で受信された情報に基づいて前記電子機器本体への給電量を制御する制御手段と、を備えたことを特徴とする電子機器を提供する。
【００１４】
本発明によれば、電子機器本体の動作状態に応じて二次電池の給電量が制御される。これにより、無駄な電力の消費が抑制され、二次電池の長寿命化を図ることができる。
【００１５】
【発明の実施の形態】
以下、添付図面に従って本発明に係る電子機器の好ましい実施の形態について詳説する。
【００１６】
図１は本発明が適用されたデジタルカメラの第１の実施の形態を示す外観図である。同図に示すように、本実施の形態のデジタルカメラ１０は、カメラ本体１２に対してバッテリーパック１４が着脱自在に設けられている。
【００１７】
矩形の箱状に形成されたカメラ本体１２は防水構造を有しており、その正面に撮影レンズ１６、ファインダ窓１８、ストロボ２０等が設けられている。また、その上面にはシャッターボタン２２と電源スイッチ２４が設けられており、背面には図示しないファインダ接眼部、液晶モニタ、操作ボタン類等が設けられている。バッテリーパック１４は、このカメラ本体１２の一方側の側面に形成されたバッテリー装着部２６が装着される。
【００１８】
バッテリー装着部２６には、一対のアーム２８、２８がカメラ本体１２の前面と背面から横方向に張り出して形成されており、この一対のアーム２８、２８に抱きかかえられる形でバッテリーパック１４が保持される。
【００１９】
バッテリーパック１４は、四角いブロック状に形成されており、カメラ本体１２と同じ厚さ、同じ高さをもって形成されている。このバッテリーパック１４の前面及び背面には凹部３０、３０が形成されており、この凹部３０、３０にバッテリー装着部２６のアーム２８、２８が嵌合される。凹部３０、３０には溝３２、３２が形成されており、この溝３２、３２にアーム２８、２８に形成された爪３４、３４が嵌合することで、バッテリーパック１４がアーム２８、２８にロックされる。
【００２０】
なお、アーム２８、２８はプラスチック等の弾性変形可能な材質で成型され、先端の間隔を押し広げて溝３２、３２から爪３４、３４を外すことにより、ロックを解除する。
【００２１】
図２は本実施の形態のデジタルカメラ１０の内部構成を示したブロック図である。同図において、ＣＰＵ３６は、シャッターボタン２２、その他の操作部からの入力に基づいてカメラ本体１２内の各回路を統括制御する。このデジタルカメラ１０は、静止画の撮影機能と再生機能を備えており、各機能（撮影モードと再生モード）の切り替えは、カメラ本体１２の背面に設けられた図示しないモードレバーによって行なわれる。
【００２２】
カメラの機能が撮影モードに設定されている場合において、被写体光は撮影レンズ１６を介して固体撮像素子（ＣＣＤ）３８の受光面に入射され、そのＣＣＤ３８で光量に応じた量の信号電荷に変換される。
【００２３】
ＣＣＤ３８に蓄積された信号電荷は、タイミングジェネレータ４０から加えられる転送パルスによって信号電荷に応じた電圧信号として順次読み出され、相関二重サンプリング回路／増幅器（ＣＤＳ／ＡＧＣ）４２に加えられる。そして、このＣＤＳ／ＡＧＣ４２によって各画素ごとのＲ、Ｇ、Ｂ信号がサンプリングホールドされるとともに増幅され、Ａ／Ｄ変換器４４に加えられる。Ａ／Ｄ変換器４４は、順次入力されるＲ、Ｇ、Ｂ信号をデジタルのＲ、Ｇ、Ｂ信号に変換して画像入力コントローラ４６に出力する。
【００２４】
信号処理回路４８は、画像入力コントローラ４６を介して入力されたデジタルの画像信号に対して、オフセット処理、ホワイトバランス補正及び感度補正を含むゲインコントロール処理、ガンマ補正処理等の所定の信号処理を行う。信号処理回路４８で処理された画像データはＶＲＡＭ５０に入力される。ＶＲＡＭ５０には、それぞれ１コマ分の画像データを記憶するＡ領域とＢ領域とが含まれており、このＡ領域とＢ領域に１コマ分の画像データが交互に書き換えられる。そして、このＶＲＡＭ５０のＡ領域とＢ領域から交互に画像データが読み出され、ビデオエンコーダ５２でエンコーディングされたのち液晶モニタ５４に出力され、液晶モニタ５４上に表示される。
【００２５】
なお、ＲＯＭ５７には、ＣＰＵ３６が処理するプログラム及び制御に必要な各種データ等が格納されており、ＲＡＭ５８は、画像処理領域の他、ＣＰＵ３６が各種の演算処理等を行うための作業用領域を有している。また、ＥＥＰＲＯＭ（不揮発性メモリ）５９には、各種設定情報が格納される。
【００２６】
さて、上記の撮影モードの下でシャッターボタン２２が半押しされると、ＣＰＵ３６は、露出制御とフォーカス制御を実行する。そして、この状態からシャッターボタン２２が全押しされると、ＣＰＵ３６は撮影制御を実行する。すなわち、撮影した画像データをメモリカード６４に記録する。この撮影制御は次のように行なわれる。
【００２７】
まず、Ａ／Ｄ変換器４４から出力される１コマ分の画像データが、画像入力コントローラ４６を介してＲＡＭ５８に入力され、ここに一時的に記憶される。ＲＡＭ５８に記憶された画像データは、ＲＡＭ５８から信号処理回路４８に読み出され、ここで輝度データ及び色差データの生成処理（ＹＣ処理）を含む所定の信号処理が施される。そして、ＹＣ処理された画像データ（ＹＣデータ）は、再びＲＡＭ５８に入力され、ここに一時的に記憶される。ＲＡＭ５８に記憶されたＹＣデータは、続いて圧縮伸張処理回路６０に出力され、ここで所定の圧縮処理が施される。　そして、圧縮されたＹＣデータは、再びＲＡＭ５８に出力され、ここで一時記憶されたのち、メディアコントローラ６２によってＲＡＭ５８から読み出され、メモリカード６４に記録される。
【００２８】
以上のようにしてメモリカード６４に記録された画像データは、モードレバー（図示しない）を再生モードに設定することでメモリカード６４から読み出され、液晶モニタ５４に表示される。
【００２９】
すなわち、モードレバーが再生モードに設定されると、メモリカード６４に記録された画像データが、メディアコントローラ６２を介してメモリカード６４から読み出され、ＲＡＭ５８に一時的に記憶される。ＲＡＭ５８に読み出された画像データは、ＲＡＭ５８から圧縮伸張処理回路６０に出力され、ここでデータ伸張されたのち、再びＲＡＭ５８に一時記憶される。そして、ＲＡＭ５８からビデオエンコーダ５２に読み出され、ビデオエンコーダ５２でエンコーディングされたのち液晶モニタ５４に出力されて液晶モニタ５４上に表示される。
【００３０】
ところで、上記のように本実施の形態のデジタルカメラ１０では、カメラ本体１２にバッテリーパック１４が着脱自在に取り付けられる。カメラ本体１２は、このバッテリーパック１４から電源制御回路５６を介して無接点で電源が供給される。
【００３１】
バッテリーパック１４は、二次電池ＢＴ、駆動制御回路６８、充電・給電切替回路７０、装着検出スイッチ７２、誘導コイルＬ２、平滑コンデンサＣ２、ダイオードＤ２を備えており、これらが防水構造の外装体の内側に密閉された状態で配置されている。
【００３２】
駆動制御回路６８は、スイッチング回路を有しており、オンオフ動作により誘導コイルＬ２に励磁電流を供給する。誘導コイルＬ２には平滑コンデンサＣ２が並列接続されており、平滑コンデンサＣ２には整流用のダイオードＤ２を介して二次電池ＢＴが並列接続されている。二次電池ＢＴは、リチウムイオン電池、ニッケル水素電池、ニッカド電池等からなる。
【００３３】
充電・給電切替回路７０は、充電モードと給電モードの切り替えを行い、装着検出スイッチ７２からの情報に基づいて充電モードと給電モードの切り替えを行なう。
【００３４】
カメラ本体１２には、同様に誘導コイルＬ１と、それに並列接続される平滑コンデンサＣ１と整流用のダイオードＤ１とが備えられている。
【００３５】
ここで、カメラ本体１２とバッテリーパック１４は、バッテリーパック１４がカメラ本体１２に装着されると、誘導コイル同士が互いに対向した位置に配されるように構成されている。これにより、カメラ本体１２側の誘導コイルＬ１を一次側とし、バッテリーパック１４側の誘導コイルＬ２を二次側としたトランスが形成される。
【００３６】
デジタルカメラに電源を供給する際は、給電モード下でバッテリーパック１４に備えられた駆動制御回路６８を駆動させることにより、誘導コイルＬ２に励磁電流を流す。これにより、誘導コイルＬ２に沿って励磁電流に応じた磁束が生じる。デジタルカメラ１の誘導コイルＬ１は、バッテリーパック１４の誘導コイルＬ２と対向して配設されているので、誘導コイルＬ２に沿って発生した磁束は、誘導コイルＬ１内を通り、誘導コイルＬ１と錯交するようになる。このため、誘導コイルＬ１には、錯交した磁束に応じた電圧が生じる。誘導コイルＬ１に生じた電圧は、平滑コンデンサＣ１によって平滑化され、ダイオードＤ１によって整流された後に電源制御回路５６に供給される。
【００３７】
また、バッテリーパック１４は、カメラ本体１２から取り外し、図示しない充電器に装填することにより、同様の原理で充電される。この際、誘導コイルＬ２には充電器側の誘導コイルにより発生した磁束により電圧が生じ、平滑コンデンサＣ２によって平滑化され、ダイオードＤ２によって整流された後、二次電池ＢＴに供給される。これにより、二次電池ＢＴが充電される。
【００３８】
また、バッテリーパック１４は、カメラ本体１２から取り外されると、これを装着検出スイッチ７２が検出し、この装着検出スイッチ７２の検出結果に基づいて充電・給電切替回路７０が、バッテリーパック１４のモードを給電モードから充電モードに切り替える。同様にバッテリーパック１４がカメラ本体１２に装着されると、これを装着検出スイッチ７２が検出し、この装着検出スイッチ７２の検出結果に基づいて充電・給電切替回路７０がバッテリーパック１４のモードを充電モードから給電モードに切り替える。
【００３９】
図３は、装着検出スイッチ７２の構成を示す概略図であり、同図（ａ）が未装着時、同図（ｂ）が装着時の状態を示している。
【００４０】
図３に示すように、装着検出スイッチ７２は、カメラ本体１２との接合面の近傍に配置されており、一対の接片７４Ａ、７４Ｂを備えている。この一対の接片７４Ａ、７４Ｂのうち接合面側の接片７４Ｂの先端には磁石７６が取り付けられている（以下、この一対の接片７４Ａ、７４Ｂのうち一方の接片７４Ａを固定接片７４Ａといい、他方の接片７４Ｂを可動接片７４Ｂという。）。
【００４１】
カメラ本体１２にも同様に磁石７８が備えられており、磁石７８はバッテリーパック１４との接合面の近傍に配置されている。この磁石７８は、バッテリーパック１４をカメラ本体１２に装着すると、バッテリーパック１４に備えられた磁石７６と対向して配置される。
【００４２】
ここで、このカメラ本体１２に設けられた磁石７８と、バッテリーパック１４に設けられた磁石７６は同じ極性のものが用いられている。このため、カメラ本体１２にバッテリーパック１４を装着すると、互いに対向して配置される磁石７６と磁石７８は互いに反発する。装着検出スイッチ７２の可動接片７４Ｂは、この磁石７６と磁石７８の間に発生する反発力によって固定接片７４Ａ側に撓み、図３（ｂ）に示すように、固定接片７４Ａに接触する。そして、この可動接片７４Ｂが固定接片７４Ａに接触することにより、装着検出スイッチ７２がオンとなり、このオン信号が充電・給電切替回路７０に出力される。
【００４３】
また、バッテリーパック１４をカメラ本体１２から取り外すと、図３（ａ）に示すように、反発力から開放され、弾性復元力により、可動接片７４Ｂが元の位置に復帰し、固定接片７４Ａから離れる。そして、この可動接片７４Ｂが固定接片７４Ａから離れることにより、装着検出スイッチ７２がオフとなり、このオフ信号が充電・給電切替回路７０に出力される。
【００４４】
このように、装着検出スイッチ７２は、バッテリーパック１４をカメラ本体１２に装着するとオンとなり、カメラ本体１２から取り外すとオフとなる。そして、充電・給電切替回路７０は、この装着検出スイッチ７２からのオン信号を入力することにより、バッテリーパック１４のモードを充電モードから給電モードに切り替え、オフ信号を入力することにより、バッテリーパック１４のモードを給電モードから充電モードに切り替える。
【００４５】
したがって、バッテリーパック１４は、カメラ本体１２に装着すると、自動的に給電モードに切り替わり、カメラ本体１２から取り外すと、自動的に充電モードに切り替わる。
【００４６】
このように、本実施の形態のデジタルカメラ１０では、バッテリーパック１４は、カメラ本体１２に装着すると、自動的に給電モードに切り替わり、カメラ本体１２から取り外すと、自動的に充電モードに切り替わるので、面倒な切替操作がなくなり、取り扱いが便利になる。
【００４７】
また、カメラ本体１２からバッテリーパック１４を取り外すと自動的に充電モードに切り替わるので、無駄な放電を抑制することができ、二次電池の長寿命化を図ることができる。
【００４８】
さらに、開閉部やコネクタ等を排除できるので、容易に完全な密閉構造を構成することができる。
【００４９】
図４は、本発明が適用されたデジタルカメラの第２の実施の形態の要部構成図である。
【００５０】
本実施の形態のデジタルカメラ１０は、カメラ本体１２の電源スイッチ２４のオン・オフに連動して、バッテリーパック１４の充電・給電モードが切り替えられる。なお、上述した第１の実施の形態のデジタルカメラ１０と同一部材には同一符号が付されている。
【００５１】
図４に示すように、電源スイッチ２４は、横方向にスライド自在に設けられている。この電源スイッチ２４は、同図（ｂ）に示すように、バッテリーパック装着部２６側に移動させることによりオンとなり、バッテリーパック装着部２６とは反対側に移動させることによりオフとなる。
【００５２】
電源スイッチ２４の下部には連結棒２４Ａを介して磁石７８が取り付けられている。この磁石７８は、バッテリーパック１４に備えられた磁石７６と同じ極性のものが用いられており、カメラ本体１２にバッテリーパック１４を装着すると、そのバッテリーパック１４に備えられた磁石７６と対向して配置される。
【００５３】
図４（ａ）に示すように、電源スイッチ２４をオフにした状態でカメラ本体１２にバッテリーパック１４を装着すると、バッテリーパック１４側の磁石７６とカメラ本体１２側の磁石７８は互いに対向して配置される。
【００５４】
このとき、カメラ本体１２側の磁石７８は、バッテリーパック１４側の磁石７６に対して十分に離れた位置（オフ位置）に位置しているため、反発力は働かず、バッテリーパック１４に設置された装着検出スイッチ７２の固定接片７４Ａと可動接片７４Ｂは離れたままの状態となる。したがって、装着検出スイッチ７２は、オフのままとなる。この結果、バッテリーパック１４は、カメラ本体１２に装着されても、充電モードのままとなる。
【００５５】
一方、カメラ本体１２にバッテリーパック１４を装着した状態でカメラ本体１２の電源スイッチ２４をオンにすると、カメラ本体１２側の磁石７８がバッテリーパック１４側の磁石７６に向かって移動する。この結果、バッテリーパック１４側の磁石７６とカメラ本体１２側の磁石７８とが互いに反発する。そして、このバッテリーパック１４側の磁石７６とカメラ本体１２側の磁石７８とが互いに反発することにより、図４（ｂ）に示すように、装着検出スイッチ７２の可動接片７４Ｂが固定接片７４Ａ側に撓み、図４（ｂ）に示すように、固定接片７４Ａに接触する。これにより、装着検出スイッチ７２がオンとなり、このオン信号が充電・給電切替回路７０に出力されて、バッテリーパック１４のモードが充電モードから給電モードに切り替えられる。
【００５６】
また、カメラ本体１２の電源スイッチ２４をオフにすると、カメラ本体１２側の磁石７８はバッテリーパック１４側の磁石７６から離れるので、磁石７８による反発力は失われる。この結果、装着検出スイッチ７２の可動接片７４Ｂは、弾性復元力で元の位置に復帰し、固定接片７４Ａから離れる。これにより、装着検出スイッチ７２がオフとなり、このオフ信号が充電・給電切替回路７０に出力されて、バッテリーパック１４のモードが給電モードから充電モードに切り替えられる。
【００５７】
なお、カメラ本体１２からバッテリーパック１４を取り外した場合も同様に磁石７８による反発力が失われるので、装着検出スイッチ７２の可動接片７４Ｂは、弾性復元力で元の位置に復帰して固定接片７４Ａから離れる。この結果、装着検出スイッチ７２はオフとなり、このオフ信号が充電・給電切替回路７０に出力されて、バッテリーパック１４のモードが給電モードから充電モードに切り替えられる。
【００５８】
このように、本実施の形態のデジタルカメラによれば、カメラ本体１２の電源スイッチ２４のオン・オフに連動して、バッテリーパック１４の充電・給電モードが切り替えられる。したがって、カメラ本体１２にバッテリーパック１４を装着したままでも、カメラ本体１２の電源がオンにされない限り、バッテリーパック１４は充電モードに維持されるので、無駄な放電を抑止することができる。
【００５９】
図５は、本発明に係るデジタルカメラの第３の実施の形態の構成を示す外観図である。
【００６０】
本実施の形態のデジタルカメラは、第２の実施の形態と同様にカメラ本体の電源のオン・オフに連動して、バッテリーパックの充電・給電モードが切り替えられる。そして、本実施の形態のデジタルカメラでは、バッテリーパック自体がカメラ本体の電源スイッチを兼ねている。
【００６１】
なお、上述した第１及び第２の実施の形態のデジタルカメラと同一又は類似の構成部材には同一符号を付して、その説明は省略する。
【００６２】
図５に示すように、バッテリーパック８０は、円筒状に形成されており、その頂部に円盤状の電源ダイヤル８２が一体的に形成されている。また、その先端外周部には、ガイド用の突起８４が突出して形成されている。
【００６３】
一方、カメラ本体８６の上面には、このバッテリーパック８０が装着されるバッテリー装着穴８８が形成されている。このバッテリー装着穴８８の内周面には、バッテリーパック８０に形成された突起８４が嵌合されるガイド溝９０が軸方向に沿って形成されている。このガイド溝９０は、図６に示すように、先端部において、Ｔ字状に分岐して形成されている。
【００６４】
バッテリーパック８０をカメラ本体８６に装着する場合は、バッテリーパック８０の突起８４をバッテリー装着穴８８のガイド溝９０に嵌め込み、そのままガイド溝９０に沿ってバッテリーパック８０をバッテリー装着穴８８に挿入する。
【００６５】
ここで、ガイド溝９０は、先端部で分岐して形成されているため、バッテリーパック８０は、その分岐されたガイド溝９０Ａ、９０Ｂに沿って左右に回転させることができる。回転は左右９０度ずつ行なうことができ、図５において、右側に９０度回転させると、電源ダイヤル８２の上面に形成された指標▲が「ＯＮ」の位置に移動し（図８（ｂ）参照）、左側に９０度回転させると「ＯＦＦ」の位置に移動する（図８（ｃ）参照）。
【００６６】
なお、分岐されたガイド溝９０Ａ、９０Ｂの先端部には、溝の内壁面に半球状のストッパ９２Ａ、９２Ｂが突出して形成されており、バッテリーパック８０に形成された突起８４は、このストッパ９２Ａ、９２Ｂを弾性変形させてＯＮ位置又はＯＦＦ位置に移動する。これにより、ＯＮ位置又はＯＦＦ位置に移動したバッテリーパック８０にロックがかかり、不用意に回転するのが防止される。
【００６７】
図７はバッテリーパック８０とカメラ本体８６の内部構成の概略図である。
【００６８】
バッテリーパック８０内には、装着検出スイッチ７２が設けられている。この装着検出スイッチ７２は、突起８４が設けられた位置に設置されている。同様に誘導コイルＬ２も突起８４が設けられた位置に設置されている。
【００６９】
一方、カメラ本体８６内には、電源スイッチ９４が設けられている。この電源スイッチ９４は、装着検出スイッチ７２と同様に一対の接片９６Ａ、９６Ｂを備えており、一方の接片９６Ｂの先端には磁石９８が設けられている。この電源スイッチ９４は、バッテリーパック８０のＯＮ位置に対応する配置されている。また、同様に誘導コイルＬ１もバッテリーパック８０のＯＮ位置に対応する位置に設置されている。
【００７０】
以上のように構成された第３の実施の形態のデジタルカメラの作用は次のとおりである。
【００７１】
まず、バッテリーパック８０をカメラ本体８６のバッテリー装着穴８８に挿入する。カメラ本体８６に挿入されたバッテリーパック８０は、図８（ａ）に示すように、その頂部に形成された電源ダイヤル８２の指標▲がカメラ本体８６の上面に印字された「交換」の位置に位置する。この状態から電源ダイヤル８２を左方向に９０度回転させると、図８（ｂ）に示すように、指標▲は「ＯＦＦ」の位置に移動する。
【００７２】
このとき、バッテリーパック８０の装着検出スイッチ７２とカメラ本体８６の電源スイッチ９４は、図７（ａ）に示すように、ともに十分に離れた位置（オフ位置）に位置しているため、各スイッチの接片に設けられた磁石７６、９８には反発力が働かず、各スイッチは共にオフのままとなる。この結果、バッテリーパック８０は充電モードに維持され、カメラ本体８６は電源ＯＦＦの状態が維持される。
【００７３】
一方、「ＯＦＦ」の位置から電源ダイヤル８２を１８０度回転させると、図８（ｃ）に示すように、指標▲は「ＯＮ」の位置に移動する。
【００７４】
この指標▲が「ＯＮ」の位置に位置すると、図７（ｂ）に示すように、バッテリーパック８０の装着検出スイッチ７２がカメラ本体８６の電源スイッチ９４と互いに対向する位置に移動する。同様にバッテリーパック８０の誘電コイルＬ２とカメラ本体８６の誘電コイルＬ１とが互いに対向する位置に位置する。
【００７５】
そして、このバッテリーパック８０の装着検出スイッチ７２がカメラ本体８６の電源スイッチ９４と互いに対向する位置に移動することにより、各スイッチの接片に設けられた磁石７６、９８が互いに反発しあい、この結果、各スイッチの接片が閉じられて、各スイッチ７２、９４がオンとなる。
【００７６】
装着検出スイッチ７２がオンになると、このオン信号が図示しない充電・給電切替回路に出力され、バッテリーパック８０のモードが充電モードから給電モードに切り替えられる。また、電源スイッチ９４がオンになると、このオン信号が図示しないＣＰＵに出力され、カメラ本体８６の電源がオンになる。
【００７７】
一方、電源ダイヤル８２を１８０度回転させ、指標▲を「ＯＦＦ」の位置に移動させると、バッテリーパック８０の装着検出スイッチ７２は、カメラ本体８６の電源スイッチ９４から離れる。この結果、各スイッチの接片に設けられた磁石７６、９８による反発力はなくなり、各スイッチの接片は開かれて、各スイッチ７２、９４はオフとなる。
【００７８】
装着検出スイッチ７２がオフになると、このオフ信号が図示しない充電・給電切替回路に出力され、バッテリーパック８０のモードが給電モードから充電モードに切り替えられる。また、電源スイッチ９４がオフになると、このオフ信号が図示しないＣＰＵに出力され、カメラ本体８６の電源がオフになる。
【００７９】
このように、本実施の形態のデジタルカメラによれば、バッテリーパック８０がカメラ本体８６の電源を兼ねており、この電源のオン・オフに連動して、バッテリーパック１４の充電・給電モードが切り替えられる。したがって、カメラ本体にバッテリーパック１４を装着したままでも、カメラ本体の電源がオンにされない限り、バッテリーパックは充電モードに維持されるので、無駄な放電を抑止することができる。
【００８０】
また、カメラ本体側に電源スイッチを設ける必要がなくなり、構成を簡略化することができる。
【００８１】
図９は本発明が適用されたデジタルカメラの第４の実施の形態の構成を示す外観図であり、図１０は、その内部構成を示すブロック図である。
【００８２】
本実施の形態のデジタルカメラは、カメラ本体の動作状態に応じて二次電池からの給電量を制御できるように構成したものである。
【００８３】
なお、上述した第１及び第２の実施の形態のデジタルカメラと同一又は類似の構成部材には同一符号を付して、その説明は省略する。
【００８４】
図１０に示すように、カメラ本体１００には発光素子１０２が設けられ、バッテリーパック１１０には受光素子１１２が設けられている。
【００８５】
ここで、図９に示すように、カメラ本体１００のバッテリー装着部２６には、透明な窓１０４が水密構造で形成されており、発光素子１０２は、この窓１０４の内側に配置されている。同様にバッテリーパック１１０のカメラ本体１００への装着部には、カメラ本体１００に形成された窓１０４と対応する位置に透明な窓１１４が水密構造で形成されており、受光素子１１２は、この窓１１４の内側に配置されている。したがって、バッテリーパック１１０をカメラ本体１００に装着すると、バッテリーパック１１０に形成された窓１１４とカメラ本体１００に形成された窓１０４とが互いに対向する。これにより、バッテリーパック１１０は、窓１０４と窓１１４を介して、カメラ本体１００の発光素子１０２から投光される光を受光素子１１２で受光することができる。
【００８６】
発光素子１０２は、カメラ本体１００のＣＰＵ３６からの駆動信号に基づいて発光され、ＣＰＵ３６は、電力消費量が少ないモードでカメラ本体１００が作動されると、発光素子１０２に発光指令を出力する。
【００８７】
一方、受光素子１１２は、この発光素子１０２から投光された光を受光し、バッテリーパック１１０内に設置された二次電池ＣＰＵ１１６に出力する。二次電池ＣＰＵ１１６は、この受光素子１１２の受光情報を入力すると、駆動制御回路６８を低電力供給モードにて動作させる。
【００８８】
すなわち、駆動制御回路６８は、図１１（ａ）に示すように、連続的にスイッチング回路をオンオフさせる「通常モード」と、同図（ｂ）に示すように、断続的にスイッチング回路をオンオフさせる「低電力供給モード」の２つの給電モードを備えており、通常は通常モードで動作する。そして、受光素子１１２で発光素子１０２からの投光が受光されると、二次電池ＣＰＵ１１６が駆動制御回路６８に制御信号を出力し、駆動制御回路６８を低電力供給モードで動作させる。
【００８９】
このように、本実施の形態のデジタルカメラでは、カメラ本体１００の動作モードに応じてバッテリーパック１１０からの給電量が調整され、電力消費量が少ないモードでカメラ本体１００が作動されると、バッテリーパック１１０は低電力供給モードで動作される。これにより、無駄な電池の消費を効果的に抑制することができ、電池の長寿命化を図ることができる。
【００９０】
なお、電力消費量が少ないモードとしては、たとえば撮影モード下で液晶モニタを消した状態で撮影を待機している時（いわゆる、シャッターボタンが押されて撮影処理が行なわれるまでの間）等がある。
【００９１】
図１２は、本発明が適用されたデジタルカメラの第５の実施の形態の内部構成を示すブロック図である。
【００９２】
同図に示すように、本実施の形態のデジタルカメラでは、バッテリーパック側に二次電池ＣＰＵが備えられていない点で上述した第４の実施の形態のデジタルカメラと相違している。なお、上述した第４の実施の形態のデジタルカメラと同一又は類似の構成部材には同一符号が付されている。
【００９３】
カメラ本体１００のＣＰＵ３６は、電力消費量が少ないモードでカメラ本体１００が作動されると、発光素子１０２に発光指令を出力する。受光素子１１２は、この発光素子１０２から投光された光を受光し、駆動制御回路６８に出力する。駆動回路６８は、この受光素子１１２の受光情報を入力すると低電力供給モードに動作が切り替えられる。
【００９４】
このように、バッテリーパック１１０から二次電池ＣＰＵを排除することにより、バッテリーパック１１０の構成が簡略化され、製造コストも抑えることができる。
【００９５】
なお、上述した一連の実施の形態では、本発明をデジタルカメラに適用した例で説明したが、本発明の適用は、これに限定されるものではなく、着脱可能なバッテリーパックを備えた電子機器全てに適用することができる。特に、防水構造を要する携帯電子機器、たとえば防水仕様の銀塩カメラやビデオカメラ、ノート型パソコン、ラジカセ等では有効に作用する。
【００９６】
また、上述した第１〜第３の実施の形態では、バッテリーパックの装着の検出を磁石の反発力を利用して開閉するスイッチで行なうようにしているが、他の方法で検出してもよい。
【００９７】
さらに、上述した第４及び第５の実施の形態では、バッテリーパックとカメラ本体との間の通信を発光素子と受光素子とで行なうように構成しているが、この他の無線通信手段を利用してもよい。たとえば、赤外通信や電力供給を行なう誘導電流に高周波として重畳させて通信するようにしてもよい。
【００９８】
【発明の効果】
以上のように、請求項１に係る発明によれば、二次電池を電子機器本体に装着すると二次電池のモードが充電モードから給電モードに自動的に切り替わり、取り外すと給電モードから充電モードに自動的に切り替わるので、無駄な電力の消費を抑制し、電池の長寿命化を図ることができる。
【００９９】
また、請求項２に係る発明によれば、電子機器本体の電源をオンにすると二次電池のモードが充電モードから給電モードに自動的に切り替わり、オフにすると給電モードから充電モードに自動的に切り替わるので、無駄な電力の消費を抑制し、電池の長寿命化を図ることができる。
【０１００】
また、請求項３に係る発明によれば、電子機器本体の動作状態に応じて二次電池の給電量が制御されるので、無駄な電力の消費が抑制され、二次電池の長寿命化を図ることができる。
【図面の簡単な説明】
【図１】本発明が適用されたデジタルカメラの第１の実施の形態を示す外観図
【図２】本実施の形態のデジタルカメラの内部構成を示したブロック図
【図３】装着検出スイッチの構成を示す概略図
【図４】本発明が適用されたデジタルカメラの第２の実施の形態の要部構成図
【図５】本発明に係るデジタルカメラの第３の実施の形態の構成を示す外観図
【図６】バッテリー装着穴に形成された溝の展開図
【図７】バッテリーパックとカメラ本体の内部構成の概略図
【図８】本発明に係るデジタルカメラの第３の実施の形態の構成を示す平面図
【図９】本発明が適用されたデジタルカメラの第４の実施の形態の構成を示す外観図
【図１０】本発明が適用されたデジタルカメラの第４の実施の形態の内部構成を示すブロック図
【図１１】駆動制御回路の動作モードの説明図
【図１２】本発明が適用されたデジタルカメラの第５の実施の形態の内部構成を示すブロック図
【符号の説明】
１０…デジタルカメラ、１２…カメラ本体、１４…バッテリーパック、１６…撮影レンズ、１８…ファインダ窓、２０…ストロボ、２２…シャッターボタン、２４…電源スイッチ、２６…バッテリー装着部、２８…アーム、３０…凹部、３２…溝、３４…爪、３６…ＣＰＵ、３８…固体撮像素子（ＣＣＤ）、４０…タイミングジェネレータ、４２…相関二重サンプリング回路／増幅器（ＣＤＳ／ＡＧＣ）、４４…Ａ／Ｄ変換器、４６…画像入力コントローラ、４８…信号処理回路、５０…ＶＲＡＭ、５２…ビデオエンコーダ、５４…液晶モニタ、５６…電源制御回路、５７…ＲＯＭ、５８…ＲＡＭ、５９…ＥＥＰＲＯＭ、６０…圧縮伸張処理回路、６２…メディアコントローラ、６４…メモリカード、６８…駆動制御回路、７０…充電・給電切替回路、７２…装着検出スイッチ、７４Ａ…接片（固定接片）、７４Ｂ…接片（可動接片）、７６…磁石、７８…磁石、８０…バッテリーパック、８２…電源ダイヤル、８４…突起、８６…カメラ本体、８８…バッテリー装着穴、９０、９０Ａ、９０Ｂ…ガイド溝、９２Ａ、９２Ｂ…ストッパ、９４…電源スイッチ、９６Ａ、９６Ｂ…接片、９８…磁石、１００…カメラ本体、１０２…発光素子、１０４…窓、１１０…バッテリーパック、１１２…受光素子、１１４…窓、１１６…二次電池ＣＰＵ、ＢＴ…二次電池、Ｌ２…誘導コイル、Ｃ２…平滑コンデンサ、Ｄ２…ダイオード
【図１】
2004055499.tif 000003
【図２】
2004055499.tif 000004
【図３】
2004055499.tif 000005
【図４】
2004055499.tif 000006
【図５】
2004055499.tif 000007
【図６】
2004055499.tif 000008
【図７】
2004055499.tif 000009
【図８】
2004055499.tif 000010
【図９】
2004055499.tif 000011
【図１０】
2004055499.tif 000012
【図１１】
2004055499.tif 000013
【図１２】
2004055499.tif 000014